(57)【要約】【課題】  本発明の目的は、記録予約の確認情報を無線端末に送信する記録装置を提供することである。【解決手段】  電子番組表及び記録予約リストを保存するメモリ（２６０）と、前記電子番組表及び記録予約リストを無線端末に送信する送信部（２４０）と、前記無線端末から送られてきた記録予約要求を受信する受信部（２４０）と、前記記録予約要求に基づいて、前記メモリに保存されている記録予約リストを更新する更新手段（Ｓ２７０）と、前記更新された記録予約リストに基づいて記録を行う記録部（２２０）とを備えることを特徴とする記録装置。【選択図】  図３
2006108752.tif 000002
【特許請求の範囲】
【請求項１】
電子番組表及び記録予約リストを保存するメモリと、
前記電子番組表及び記録予約リストを無線端末に送信する送信部と、
前記無線端末から送られてきた記録予約要求を受信する受信部と、
前記記録予約要求に基づいて、前記メモリに保存されている記録予約リストを更新する更新手段と、
前記更新された記録予約リストに基づいて記録を行う記録部と
を備えることを特徴とする記録装置。
【請求項２】
前記送信部は、前記電子番組表が更新されると、前記無線端末に前記更新された電子番組表を送信することを特徴とする請求項１記載の記録装置。
【請求項３】
前記送信部は、前記記録予約リストが更新されると、前記無線端末に前記更新された記録予約リストを送信することを特徴とする請求項１記載の記録装置。
【請求項４】
無線端末と記録装置とを有する記録システムであって、
前記記録装置は、電子番組表及び記録予約リストを保存するメモリと、前記電子番組表及び記録予約リストを前記無線端末に送信する送信部と、前記無線端末から送られてきた記録予約要求を受信する受信部と、前記記録予約要求に基づいて、前記メモリに保存されている記録予約リストを更新する更新手段と、前記更新された記録予約リストに基づいて記録を行う記録部とを備えることを特徴とする記録システム。
【発明の詳細な説明】
【技術分野】
【０００１】
本発明は、記録装置及び記録システムに関し、特に、無線端末を利用して記録予約を行う記録装置及び記録システムに関する。
【背景技術】
【０００２】
テレビ番組を録画予約する方法の１つとして、電子番組表(Electronic Program Guide、ＥＰＧ)を用いたものがある。このＥＰＧから取得した各種放送番組の番組情報を使用者に案内し、その案内した各種放送番組の中から使用者が選択した特定の放送番組を予約するのに使用される無線携帯端末がある。
【０００３】
そして、無線携帯端末は、その予約に基づいた予約情報を生成し、この予約情報を広域ネットワークを介して利用者が指定したＤＶＤレコーダ等の記録再生装置へ送信する。
【０００４】
しかし、記録再生装置も広域ネットワークを介して無線携帯端末と通信する機能が必要になる。
【０００５】
このため、従来の記録再生装置では、無線携帯端末に保存された予約情報を、インターネット等の広域ネットワークの代わりに近距離無線通信によって自動的に受信するようになっている（例えば特許文献１参照）。
【特許文献１】特開２００３−２１９１９６号公報（第８頁、図３）
【発明の開示】
【発明が解決しようとする課題】
【０００６】
しかし、無線携帯端末側での記録予約の確認に関する記載は無い。
【０００７】
本発明の目的は、記録予約の確認情報を無線端末に送信する記録装置及び記録システムを提供することである。
【課題を解決するための手段】
【０００８】
第１の発明は、電子番組表及び記録予約リストを保存するメモリと、前記電子番組表及び記録予約リストを無線端末に送信する送信部と、前記無線端末から送られてきた記録予約要求を受信する受信部と、前記記録予約要求に基づいて、前記メモリに保存されている記録予約リストを更新する更新手段と、前記更新された記録予約リストに基づいて記録を行う記録部とを備えることを特徴とする記録装置である。
【０００９】
第２の発明は、前記送信部は、前記電子番組表が更新されると、前記無線端末に前記更新された電子番組表を送信することを特徴とする第１の発明記載の記録装置である。
【００１０】
第３の発明は、前記送信部は、前記記録予約リストが更新されると、前記無線端末に前記更新された記録予約リストを送信することを特徴とする第１の発明記載の記録装置である。
【００１１】
第４の発明は、無線端末と記録装置とを有する記録システムであって、前記記録装置は、電子番組表及び記録予約リストを保存するメモリと、前記電子番組表及び記録予約リストを前記無線端末に送信する送信部と、前記無線端末から送られてきた記録予約要求を受信する受信部と、前記記録予約要求に基づいて、前記メモリに保存されている記録予約リストを更新する更新手段と、前記更新された記録予約リストに基づいて記録を行う記録部とを備えることを特徴とする記録システムである。
【発明の効果】
【００１２】
本発明によれば、記録予約の確認情報を無線端末に送信する記録装置及び記録システムを提供することができる。
【発明を実施するための最良の形態】
【００１３】
以下、本発明の実施の形態について図面を参照しながら説明する。
【００１４】
図１は、本実施形態に係る記録予約システムの概略構成図である。本システムは無線携帯端末１００と、記録予約装置２００と、テレビ４００とで構成される。
【００１５】
ここでは一例として、無線携帯端末として携帯電話機１００を、記録予約装置としてＤＶＤ(Digital Versatile Disc)レコーダ２００を挙げて説明する。
【００１６】
図２は、本実施形態に係る携帯電話機１００の概略構成図である。携帯電話機１００は、機器全体を制御するＣＰＵ(Central Processing Unit)１１０と、公衆網と通信を行う携帯電話部１２０と、近距離無線通信方式であるＢｌｕｅｔｏｏｔｈ（登録商標、以下省略）に対応したＢｌｕｅｔｏｏｔｈ通信部１３０と、機器全体に電力を供給するバッテリ１４０と、メモリ１５０と、キーボード等の入力部と、表示部１７０とを備えている。  
図３は、本実施形態に係るＤＶＤレコーダ２００の概略構成図である。ＤＶＤレコーダ２００は、ＣＰＵ２１０と、ＨＤＤ(Hard Disk Drive)２２０と、ＤＶＤドライブ２３０と、Ｂｌｕｅｔｏｏｔｈ通信部２４０と、電源部２５０と、メモリ２６０と、放送波受信用のアンテナ２７０に接続されたチューナ部２８０と、ＭＰＥＧ(Moving Picture Experts Group)等の映像信号を処理するビデオ信号処理部２９０と、ＴＶ４００と接続されたビデオ入出力部３００と、ブロードバンド網３１０に接続されたＩ／Ｏ(Input／Output)部３２０と備える。
【００１７】
図４、図５を用いて、本実施形態に係る予約録画処理の流れを説明する。図４は、家庭内における予約録画処理のフローチャートである。また、図５は、図４からの継続フローチャートであり、外出先及び再度家庭内に戻ってきたときの予約録画処理のフローチャートである。
【００１８】
ＤＶＤレコーダ２００は、放送波用アンテナ２７０で受信した放送波、またはブロードバンド網３１０に接続したＷＥＢ(World Wide Web)サイトなどからＥＰＧ（電子番組表）を取得する（Ｓ１００）。受信したＥＰＧは、既にメモリ２６０に登録されているＥＰＧを参照して更新または保存を行う（Ｓ１１０）。
【００１９】
また、ユーザがＤＶＤレコーダに付属の赤外線リモコン等で通常の番組予約を行うと（Ｓ１２０）、メモリ２６０内の予約リストが更新される（Ｓ１３０）。
【００２０】
次に、携帯電話機１００とＤＶＤレコーダ２００を連携した予約録画処理について説明する。まず、ＤＶＤレコーダは、ＥＰＧまたは予約情報が更新されると、Ｂｌｕｅｔｏｏｔｈ通信部２４０に対して、周辺にＢｌｕｅｔｏｏｔｈ端末がないかを探索させる（Ｓ１４０）。Ｂｌｕｅｔｏｏｔｈ端末がある場合、リンク確立を行う（Ｓ１５０）。この確立が失敗した場合には、所定回数リトライするように設定しておくのが望ましい。リンク確立が成功すると、携帯電話機１００とＤＶＤレコーダ２００とのＢｌｕｅｔｏｏｔｈ通信接続が開始する（Ｓ１６０）。
【００２１】
Ｂｌｕｅｔｏｏｔｈ通信が可能になると、携帯電話機１００はＤＶＤレコーダ２００からＥＰＧデータに加えて、既に録画予約済みの一覧表を受信する（Ｓ１７０）。携帯電話機側メモリ１５０のＥＰＧを参照して更新または保存を行う（Ｓ１８０）。同様に、メモリ１５０の予約リストの更新または保存を行う（Ｓ１９０）。これによって、携帯電話機１００のユーザは、家庭内の他の人が既にＤＶＤレコーダ２００にどのような番組を予約しているか理解することができる。従って、録画時間が重複してしまうような録画予約を防ぐことができる。以上が家庭内での処理である。
【００２２】
続いて、図５を用いて、携帯電話機１００が家庭内から外出先へ、そして再び家庭内に戻ってきた場合の録画予約処理を説明する。
【００２３】
Ｂｌｕｅｔｏｏｔｈ通信の通信範囲は十数メートルであるため、携帯電話機１００のユーザが外出すると、ＤＶＤレコーダ２００との通信が切断される（Ｓ２００）。しかし、携帯電話機１００には最新のＥＰＧ及び予約リストが記憶されているため、ユーザは外出先でも仮の番組予約を行うことができる（Ｓ２１０）。そして、仮の予約リストが更新される（Ｓ２２０）。ここで、仮の番組予約とは、携帯電話機側の番組予約リストに登録されているが、ＤＶＤレコーダ側の番組予約リストには登録されていない状態のことをいう。このようにすれば、ユーザは外出先、例えば電車の移動中等ちょっとした空き時間を利用して、ＥＰＧを閲覧し、録画を希望する番組の仮予約設定を行うことができる。
【００２４】
再び、外出先から家庭内に戻ってくると、携帯電話機１００は仮の予約リストが更新されていると、Ｂｌｕｅｔｏｏｔｈ通信部１３０に対して、周辺にＢｌｕｅｔｏｏｔｈ端末がないかを探索させる（Ｓ２３０）。Ｂｌｕｅｔｏｏｔｈ端末がある場合、リンク確立を行う（Ｓ２４０）。この確立が失敗した場合には、所定回数リトライするように設定しておくのが望ましい。リンク確立が成功すると、携帯電話機１００とＤＶＤレコーダ２００とのＢｌｕｅｔｏｏｔｈ通信接続が開始する（Ｓ２５０）。その後に、仮の予約データすなわち記録予約要求をＤＶＤレコーダ２００へ送信する（Ｓ２６０）。
【００２５】
ＤＶＤレコーダ２００では、受信した仮の予約データに基づいてメモリ２６０内の予約リストを更新する（Ｓ２７０）。以上の一連の作業によって、携帯電話機とＤＶＤレコーダの予約リストの一致作業が完了する（Ｓ２８０）。そして、予約設定した番組が放送されると、ＤＶＤレコーダ２００は、一致した予約リストに基づいて録画を実行する（Ｓ２９０）。
【００２６】
上述した実施の形態は、本発明の好適な具体例であるから、技術的に好ましい種々の限定が付されているが、本発明の趣旨を逸脱しない範囲であれば、適宜組合わせ及び変更することができることはいうまでもない。
【図面の簡単な説明】
【００２７】
【図１】本実施形態に係る記録予約システムの概略構成図。
【図２】本実施形態に係る携帯電話機１００の概略構成図。
【図３】本実施形態に係るＤＶＤレコーダ２００の概略構成図。
【図４】本実施形態に係る家庭内での予約録画処理のフローチャート。
【図５】本実施形態に係る外出先及び再び家庭内に戻ってきたときの予約録画処理のフローチャート。
【符号の説明】
【００２８】
１００  携帯電話機
１１０  ＣＰＵ
１２０  携帯電話部
１３０  Ｂｌｕｅｔｏｏｔｈ通信部
１４０  バッテリ
１５０  メモリ
１６０  入力部
１７０  表示部
２００  ＤＶＤレコーダ
２１０  ＣＰＵ
２２０  ＨＤＤ
２３０  ＤＶＤドライブ
２４０  Ｂｌｕｅｔｏｏｔｈ通信部
２５０  電源部
２６０  メモリ
２７０  放送波用アンテナ
２８０  チューナ部
２９０  ビデオ信号処理部
３００  ビデオ入出力部
３１０  ブロードバンド網
３２０  Ｉ／Ｏ部
４００  テレビ
【図１】
2006108752.tif 000003
【図２】
2006108752.tif 000004
【図３】
2006108752.tif 000005
【図４】
2006108752.tif 000006
【図５】
2006108752.tif 000007